(57)【要約】【課題】使用者が十分に手洗器キャビネットに近づくことができることで、腰に負担をかけずに十分に手が洗いやすい手洗器を備えたトイレ用キャビネットを提供することを目的とする。【解決手段】上記課題を解決するために、トイレルームの側壁に設置され、給水管・排水管を隠蔽または物品を収納し手洗器を備えるキャビネットにおいて、前記キャビネットは少なくとも前面に扉と、底板と、蹴込板とから構成され、前記蹴込板は前記扉の表面より１５０ｍｍ以上壁側に取付いていることを特徴とし、前記底板と床面との寸法が２００ｍｍ以上であることを特徴とするトイレ用キャビネットを提供する。本発明により、使用者は腰をかがめ、腰に負担を掛けることなく、十分にトイレ用キャビネットに近づくことができる。【選択図】  図１
2004174058.tif 000002
【特許請求の範囲】
【請求項１】
トイレルームの側壁に設置され、給水管・排水管を隠蔽または物品を収納し手洗器を備えるキャビネットにおいて、前記キャビネットは少なくとも前面に扉と、底板と、蹴込板とから構成され、前記蹴込板は前記扉の表面より１５０ｍｍ以上壁側に取付いていることを特徴とするトイレ用キャビネット。
【請求項２】
前記底板と床面との寸法が２００ｍｍ以上であることを特徴とする請求項１に記載のトイレ用キャビネット。
【発明の詳細な説明】
【０００１】
【発明の属する技術分野】
本発明は、手洗器を備えたキャビネットの蹴込み構造に係り、特に手を洗いやすくすることができるようにした手洗器を備えたキャビネットの蹴込み構造に関する。
【０００２】
【従来の技術】
住宅用のトイレルームにおいて、便器側方の壁に手洗器キャビネット、収納等を連ねて配置したシステムトイレルームがある。（例えば実用新案文献１参照）
【０００３】
【実用新案文献１】
実開平６−３７４５４  （第１図）
【０００４】
【発明が解決しようとする課題】
住宅用トイレ内という比較的狭い空間でありながら、上述した実用新案文献１の手洗器キャビネットでは、足元がキャビネットに近づきにくく、特に、成人男子など体格の大きい使用者が、手洗器を使用しようとすると、足元がキャビネットぶつかり十分に近づけないために腰をかがめた際に腰に負担がかかるなどの問題があった。
【０００５】
本発明は上記の課題を解決するためになされたものであるが、その目的は、狭いトイレルームの中で、使用者が十分に手洗器キャビネットに近づくことができ、腰に負担をかけずに十分に手が洗いやすい手洗器を備えたトイレ用キャビネットを提供することである。
【０００６】
【課題を解決するための手段】
上記目的を達成するために本発明は、トイレルームの側壁に設置され、給水管・排水管を隠蔽または物品を収納し手洗器を備えるキャビネットにおいて、前記キャビネットは少なくとも前面に扉と、底板と、蹴込板とから構成され、前記蹴込板は前記扉の表面より１５０ｍｍ以上壁側に取付いていることを特徴とする。
蹴込板を扉表面より１５０ｍｍ以上壁側に取付けることによって、使用者の足先が蹴込部分に収まることで、キャビネットに十分近づくことができるため、腰に負担をかけることなく容易に手洗いをすることができる。
【０００７】
本発明の好ましい態様として、前記底板と床面との寸法が２００ｍｍ以上であることを特徴とする。
蹴込板を扉表面より１５０ｍｍ以上壁側に取付けることに加え、キャビネットで底板の高さが十分に高く、使用者の足先が蹴込部分に収まる。このため、手洗器キャビネットに十分近づくことができ、腰に負担をかけることなく容易に手洗いをすることができる。
【０００８】
【発明の実施の形態】
本発明の実施の形態を図１から図３を用いて説明する。
図１は本発明に係る手洗器キャビネットを示しており、主に扉１、側板２、底板３、蹴込板４、背板５から構成され、手洗器を上方に載置している。ここで、図に示すようにキャビネットの蹴込板４を前記扉１の表面より１５０ｍｍ以上背面側に取付けることにより使用者の足先が蹴込部分に収まり、手洗器キャビネットに十分近づけるようになり手洗いのしやすさが向上する。
【０００９】
一般住宅におけるトイレルームは３／４間間口の１２００ｍｍ、１／２間間口の８００ｍｍを間口、奥行基準寸法とすることが多い。間口８００ｍｍ×奥行１２００ｍｍのスペースは最も多く、一般戸建住宅の半数を占めている。特にスペースの制約が大きく、図２に示す手洗器付き密結タンク式便器や、手洗器を別に設けたキャビネット式便器を用いたりしているが、本発明の構成とすることにより、間口が８００ｍｍのトイレルームに手洗器付きキャビネットを配置することができる。
また、間口８００ｍｍ×奥行１６００ｍｍの中スペースゾーンや間口１２００ｍｍ×奥行１６００ｍｍの大スペースのトイレルームで、図３に示すように手洗器付きキャビネットを便器の横にも配置した場合でも、便器横付近で利用者が方向転換する際に、足先が蹴込部に阻害されることないため、利用者の便器へのアプローチ性がよくなる。
【００１０】
また、底板３を床面より２００ｍｍ以上の高さに設置することにより使用者の足先が蹴込部分に収まり手洗器キャビネットに十分近づけるようになり手洗いのしやすさがより向上する。
【００１１】
日本人男性は平均身長１８４ｃｍでは足の大きさ約２７ｃｍ、平均身長１７９ｃｍでは足の大きさ約２６ｃｍ、平均身長１７４ｃｍでは足の大きさ約２６ｃｍ、平均身長１７０ｃｍでは足の大きさ約２５ｃｍ、平均身長１６５ｃｍでは足の大きさ約２５ｃｍ、平均身長１６１ｃｍでは足の大きさ約２４ｃｍである。足の大きさの約６５％が足先の大きさになるので、平均身長１８４ｃｍから１６１ｃｍの日本人男性について、足先の大きさは約１８ｃｍから約１６ｃｍとなる。図１に示す前記蹴込板４を前記扉１の表面より１５０ｍｍ以上、好ましくは１８０ｍｍ以上背面側に取付けることにより図５に示すように、使用者の足先が蹴込部分に収まり、さらに手洗器キャビネットに十分近づけるようになり手洗いのしやすさが向上する。
【００１２】
図１に示す前記蹴込板４をなくしてしまった場合、キャビネットの保持は壁固定のみとなり上に間違って体重をかけてしまった際にキャビネットを支えきれない可能性があり、蹴込板を残して扉１の表面より１５０ｍｍ以上背面側に取付けることが好ましい。
【００１３】
蹴込板が扉の表面より１５０ｍｍ以上背面側に取付き、底板と床面との寸法が２００ｍｍ以上である場合、清掃時にモップ、雑巾などが入りやすくなり、掃除しやすさが向上する。
【００１４】
また、前記底板を床面から２００ｍｍ以上に設置することにより、裸足の場合、スリッパを履いた場合などによることなく十分に手洗器キャビネットにアプローチすることができる。
【００１５】
【発明の効果】
本発明の構成により、手洗器キャビネットに十分近づけるので腰に負担をかけることなく容易に手洗いができる。
【図面の簡単な説明】
【図１】本発明の実施例を表す斜視図
【図２】一般的なトイレルームを示す平面図。
【図３】間口１２００ｍｍ×奥行１６００ｍｍのトイレルームに手洗器キャビネットを別に設けたワンピース便器を設置した斜視図
【図４】手洗いをしている様子を示す図。
【図５】従来例を表す斜視図
【符号の説明】
１…扉、  ２…側板、  ３…底板、  ４…蹴込板、  ５…背板
【図１】
2004174058.tif 000003
【図２】
2004174058.tif 000004
【図３】
2004174058.tif 000005
【図４】
2004174058.tif 000006
【図５】
2004174058.tif 000007